(57)【要約】【課題】球皿部材を開放した際の遊技球の飛び出しを防止する。【解決手段】中枠には、球通路ユニットに接続して、該中枠の前側で球出口６５ａが開口する球案内通路６５と、球案内通路６５の球出口６５ａに連通すると共に、前方へ開口する球供給空間６１と、前枠１３の開放時に球供給空間６１を通過したパチンコ球Ｂを回収する球回収空間６２とを設ける。また、前枠１３には、上球貯留部１４に接続して閉成時に球供給空間６１に臨み、球案内通路６５の球出口６５ａから排出されるパチンコ球Ｂを受入れる球受け部２１とを設ける。そして、球案内通路６５の球出口６５ａを、球供給空間６１の側方で開口するよう開設して、前枠１３の閉成時に、球出口６５ａから排出されて側方から到来するパチンコ球Ｂを、球受け部２１が受入れるよう構成した。【選択図】図６
2011206602.tif 000002
【特許請求の範囲】
【請求項１】
本体枠の裏側に設けられ、遊技球を払出す球払出部と、前記本体枠の前側に開閉可能に設けられて遊技球を貯留可能な球貯留部を有する球皿部材とを備え、前記球払出部から払出された遊技球を前記球貯留部に供給して貯留するよう構成された遊技機において、
前記球払出部に接続すると共に前記本体枠に前後方向に延在するよう開設され、該本体枠の前側で球出口が開口する球案内通路と、
前記本体枠の前側に設けられて前記球案内通路の球出口に連通すると共に、前方へ開口する球供給空間と、
前記球供給空間の下方に設けられ、前記球皿部材の開放時に前記球供給空間を通過した遊技球を回収する球回収空間と、
前記球皿部材の裏側に突設されて球貯留部に接続し、該球皿部材の閉成時に前記球供給空間に臨むと共に、前記球案内通路の球出口から排出される遊技球を受入れる球受け部とを備え、
前記球受け部は、上方に開口する半筒状に形成され、該球受け部における前記球出口から離間する側端部の高さは、前記球供給空間を画成する天井面との間を遊技球が通過しない寸法に設定され、
前記球案内通路の球出口は、前記球供給空間の側方で開口するよう開設されると共に、遊技球を球出口側に誘導する球誘導部が球案内通路に設けられ、
前記球皿部材の閉成時に、前記球出口から排出されて側方から到来する遊技球を、前記球受け部が受入れるよう構成した
ことを特徴とする遊技機。
【請求項２】
前記球案内通路の球出口は、前記球供給空間を画成する画壁部に開設され、前記球皿部材の閉成時に、前記球受け部における球出口側の側端部が、画壁部との間を遊技球が通過しないよう該画壁部に近接するよう構成した請求項１記載の遊技機。
【請求項３】
前記本体枠の裏側に球流通路が形成された機能部材が配設されると共に、前記球案内通路は、該球流通路を介して前記球払出部に連通するよう構成され、球流通路は、前方へ延在する通路と下方へ延在する通路とにより略Ｌ字状に形成されている請求項１または２記載の遊技機。
【発明の詳細な説明】
【技術分野】
【０００１】
本発明は、本体枠の前側に開閉可能な球皿部材を設け、該本体枠の裏側に設けた球払出部から払出される遊技球を球皿部材に貯留するよう構成された遊技機に関するものである。
【背景技術】
【０００２】
例えば遊技機の代表例であるパチンコ機やアレンジボール機等では、外郭をなす外枠に対して着脱および開閉可能に中枠(本体枠)が組み付けられて、該中枠に所要の遊技領域を画成した遊技盤が保持される。また、前記中枠の前側には、ガラス板を備えた前枠が開閉自在に枢支され、該前枠を中枠に対して閉成した際に、該ガラス板を介して前記遊技盤を前側から視認し得るよう構成される。更に、前記中枠の前面側には、多数のパチンコ球(遊技球)を貯留し得る上下の球皿部材やハンドル部材等が組み付けられる。一方、前記中枠の裏側には、上部位置に球タンクが設けられて、遊技場設備から供給されるパチンコ球を貯留するよう構成されて、該球タンクのパチンコ球を前記上下の球皿部材に供給することで遊技を行ない得るようになっている。
【０００３】
ところで、一般的なパチンコ機は、図１５(a),(b)に示すように、中枠８５の裏側にパチンコ球を遊技盤８７の下方まで案内する球通路８９を形成すると共に、該球通路８９の下端部に連通するよう前後方向に延在する球案内通路９１を形成して、該球案内通路９１の前端に上球皿部材９３に形成した球受け部９５が臨むよう構成することで、球案内通路９１からのパチンコ球を上球皿部材９３に供給するようになっている。なお、前記中枠８５には、該中枠８５の設置面の前側に所要距離だけ離間する位置にカバー部材９７を配設して、設置面とカバー部材９７との間に画成される球回収樋９９を介して、上球皿部材９３の開放時にこぼれ落ちたパチンコ球を下球皿部材(図示せず)に回収し得るよう構成されている。なお、前記カバー部材９７には、前記球案内通路９１と対応する位置に挿通孔９７ａが開設されており、挿通孔９７ａを介して球受け部９５を前記球回収樋９９内に臨ませ得るようになっている。すなわち、前記球回収樋９９の内部において、前記球案内通路９１の球出口近傍が、前記球受け部９５を臨ませてパチンコ球を上球皿部材９３に供給する球供給空間として機能し、その他の空間がパチンコ球を前記下球皿部材に回収する球回収空間として機能している。
【０００４】
ここで、前記上球皿部材９３を開放した状態で前記球案内通路９１を通過したパチンコ球は、基本的には球案内通路９１の端部から落下して前記球回収樋９９を介して前記下球皿部材に回収されるが、球案内通路９１を通過するパチンコ球の勢いによっては、図１５(b)に２点鎖線で示すように、カバー部材９７の挿通孔９７ａから外側に飛び出すこともある。すなわち、メンテナンス作業等で上球皿部材９３を開放した際にパチンコ球が飛び出し、作業性の低下を招来すると共に、パチンコ球の回収作業という本来不要な手間が掛る難点がある。そこで、特許文献１では、前記カバー部材９７の挿通孔９７ａに対応する位置に玉止め部材を設けて、該挿通孔９７ａからパチンコ球が飛び出すのを防止する技術が提案されている。
【先行技術文献】
【特許文献】
【０００５】
【特許文献１】特開２００１−２７６３８０号公報
【発明の概要】
【発明が解決しようとする課題】
【０００６】
しかしながら、特許文献１のように、前記カバー部材９７の挿通孔９７ａに対応する位置に玉止め部材を別途配設する構成では、カバー部材９７の組付け作業が煩雑になると共に、作業工程や部品点数の増加によりコストの増大を招来する欠点が指摘される。
【０００７】
そこで、本発明は、球皿部材を開放した際の遊技球の飛び出しを防止し得る遊技機を提供することを目的とする。
【課題を解決するための手段】
【０００８】
前記課題を克服し、所期の目的を達成するために、本願の請求項１に係る遊技機は、
本体枠(12)の裏側に設けられ、遊技球(B)を払出す球払出部(36)と、前記本体枠(12)の前側に開閉可能に設けられて遊技球(B)を貯留可能な球貯留部(14)を有する球皿部材(13)とを備え、前記球払出部(36)から払出された遊技球(B)を前記球貯留部(14)に供給して貯留するよう構成された遊技機において、
前記球払出部(36)に接続すると共に前記本体枠(12)に前後方向に延在するよう開設され、該本体枠(12)の前側で球出口(65a)が開口する球案内通路(65)と、
前記本体枠(12)の前側に設けられて前記球案内通路(65)の球出口(65a)に連通すると共に、前方へ開口する球供給空間(61)と、
前記球供給空間(61)の下方に設けられ、前記球皿部材(13)の開放時に前記球供給空間(61)を通過した遊技球(B)を回収する球回収空間(62)と、
前記球皿部材(13)の裏側に突設されて球貯留部(14)に接続し、該球皿部材(13)の閉成時に前記球供給空間(61)に臨むと共に、前記球案内通路(65)の球出口(65a)から排出される遊技球(B)を受入れる球受け部(21)とを備え、
前記球受け部(21)は、上方に開口する半筒状に形成され、該球受け部(21)における前記球出口(65a)から離間する側端部(24)の高さは、前記球供給空間(61)を画成する天井面(43)との間を遊技球(B)が通過しない寸法に設定され、
前記球案内通路(65)の球出口(65a)は、前記球供給空間(61)の側方で開口するよう開設されると共に、遊技球(B)を球出口(65a)側に誘導する球誘導部(65b)が球案内通路(65)に設けられ、
前記球皿部材(13)の閉成時に、前記球出口(65a)から排出されて側方から到来する遊技球(B)を、前記球受け部(21)が受入れるよう構成したことを要旨とする。
【０００９】
このように、球案内通路の球出口を、球供給空間の側方で開口するようにしたことで、球皿部材の閉成時には、前記球出口から排出された遊技球を球皿部材に設けた球受け部の側方から受入れて球貯留部に供給することができる。また、球皿部材の開放状態では、球案内通路の球出口から球供給空間の前方開口へ向けて遊技球が排出されないから、該遊技球が飛び出すのを防止し得ると共に、飛び出すことなく球供給空間を通過した遊技球は前記球回収空間を介して確実に回収でき、遊技球の無駄をなくすことができる。また、前記球受け部を上方に開口する半筒状に形成することで、該球受け部に要するコストの低減を図り得る。更に、前記球受け部における前記球案内通路の球出口から離間する側端部と、前記球供給空間を画成する天井面との間を遊技球が通過しない寸法に設定することで、該球出口から排出された遊技球を確実に球受け部が受入れることができる。しかも、球案内通路に球誘導部を設けたので、遊技球を球出口へ速やかに案内することができる。
【００１０】
請求項２に係る遊技機は、前記球案内通路(65)の球出口(65a)は、前記球供給空間(61)を画成する画壁部(53)に開設され、前記球皿部材(13)の閉成時に、前記球受け部(21)における球出口(65a)側の側端部(23)が、画壁部(53)との間を遊技球(B)が通過しないよう該画壁部(53)に近接するよう構成したことを要旨とする。
【００１１】
このように、球受け部における球出口側の側端部が画壁部に近接して、該画壁部との間に遊技球が通過しないよう構成したので、球出口から排出された遊技球が球受け部と画壁部との間を落下してしまうのを防止することができる。
【００１２】
請求項３に係る遊技機は、前記本体枠(12)の裏側に球流通路(39)が形成された機能部材(38)が配設されると共に、前記球案内通路(65)は、該球流通路(39)を介して前記球払出部(36)に連通するよう構成され、球流通路(39)は、前方へ延在する通路と下方へ延在する通路とにより略Ｌ字状に形成されていることを要旨とする。
【００１３】
このように、球流通路を略Ｌ字状に形成したので、球流通路を流下する際に遊技球が増勢されて、該球流通路内で遊技球が滞留することなく球案内通路に移動することができる。
【発明の効果】
【００１４】
本発明に係る遊技機によれば、球皿部材を開放した際の遊技球の飛び出しを防止し得る。
【図面の簡単な説明】
【００１５】
【図１】本発明の実施例１に係るパチンコ機の正面図である。
【図２】実施例１に係るパチンコ機の前枠を開放した状態で示す斜視図である。
【図３】実施例１に係るパチンコ機から前枠、下球皿部材およびカバー部材を取り外した状態で示す正面図である。
【図４】実施例１に係るパチンコ機の下枠部材を示す正面図である。
【図５】実施例１に係る下枠部材の球回収樋を、下枠部材からカバー部材を取り外した状態拡大して示す正面図である。
【図６】前枠を閉成した状態における図４のＡ−Ａ線での要部断面図である。
【図７】前枠を閉成した状態における図４のＢ−Ｂ線断面図である。
【図８】図２における１点鎖線で囲む領域Ｄの拡大図である。
【図９】実施例１に係るカバー部材を示す正面図である。
【図１０】前枠を開放した状態における図４のＡ−Ａ線断面図である。
【図１１】実施例１に係るパチンコ機の背面図である。
【図１２】実施例２に係る下枠部材の球回収樋を、下枠部材からカバー部材を取り外した状態で拡大して示す正面図である。
【図１３】実施例２に係る下枠部材の球回収樋を、下枠部材にカバー部材を取り付けた状態で拡大して示す正面図である。
【図１４】実施例２に係るカバー部材を示す正面図である。
【図１５】従来技術に係るパチンコ機の中枠を、球案内通路の形成位置で縦断して示す断面図であって、(a)は球皿部材を閉成した状態を示し、(b)は球皿部材を開放した状態を示す。
【発明を実施するための形態】
【００１６】
次に、本発明に係る遊技機につき、好適な実施例を挙げて添付図面を参照しながら、以下詳細に説明する。なお、遊技機としては、一般的なパチンコ機を例にして説明する。なお、以下の説明において、前・後、左・右とは、特に断りのない限り、図１に示すようにパチンコ機１０を前側から見た状態において指称するものとする。
【実施例１】
【００１７】
実施例１に係るパチンコ機１０の概略構成について、図１または図２を参照して説明する。パチンコ機１０は、外郭をなし、遊技場に設けられた島とも称される設置枠台(図示せず)に固定される外枠１１と、該外枠１１に対して着脱および開閉可能に枢支された中枠(本体)１２と、該中枠１２に着脱交換可能に取り付けられて所要の遊技領域１８ａを画成した遊技盤１８と、中枠１２の前面側に着脱および開閉可能に枢支されて、遊技盤１８を透視保護するガラス板１３ａを備えた前枠１３とを備えている。前記前枠１３には、前記ガラス板１３ａより下方に延在する板部１３ｂに、パチンコ球Ｂ(図６参照)を貯留可能な上球貯留部(球貯留部)１４が一体的に組付けられており、前枠１３の開閉に合わせて該上球貯留部１４が一体的に開閉するようになっている。すなわち、実施例１では、前記前枠１３が、前記上球貯留部１４を備えた球皿部材として機能している。また、前記中枠１２の前側における前記前枠１３の下方には、パチンコ球Ｂを貯留可能な下球貯留部１６を有する下球皿部材１５が着脱および開閉可能に組付けられている。
【００１８】
前記前枠１３には、図２または図６〜図８に示すように、前記板部１３ｂの左端部側に、前記上球貯留部１４内に連通接続する球受け部２１が後方へ突出形成されており、前枠１３の閉成時に、カバー部材５７の挿通孔５８を介して球供給空間６１(何れも後述)に臨むようになっている。前記球受け部２１は、図８に示すように、底面をなす球受け面部２２と、該球受け面部２２の左側縁から上方へ立ち上がる左側面部(球受け部２１における球出口６５ａ側の側端部)２３と、球受け面部２２の右側縁から上方へ立ち上がる右側面部(球受け部２１における球出口６５ａから離間する側端部)２４と、各面部２３,２４の後端縁に連設する後面部２５とから上方に開口する半筒状に形成される。ここで、前記球受け面部２２からの右側面部２４の高さ寸法は、該球受け面部２２からの左側面部２３の高さ寸法より高く設定されて、前記球供給空間６１を画成する天井面(後述する左庇状部４３)との間をパチンコ球Ｂが通過しないよう設定される(図５参照)。
【００１９】
前記中枠１２は、図３に示すように、上縁をなす上枠部材２８と、下縁をなし、スピーカや打球発射装置等を設置する設置部材として機能する下枠部材２９と、左側縁をなす左枠部材３０と、右側縁をなす右枠部材３１とから構成されて、これら上下左右の枠部材２８,２９,３０,３１を組付けた際に、全体が前記外枠１１に整合する大きさに形成される。そして、前記上下左右の枠部材２８,２９,３０,３１を組付けた際に前後方向に開口する開口部に、遊技盤１８が着脱可能に設置されている。
【００２０】
なお、前記遊技盤１８は、その盤面(前面)に略円形状に湾曲形成した外レール１９ａおよび内レール１９ｂが配設されており、該内レール１９ｂの内側に画成される遊技領域１８ａ内に、図柄表示装置や入賞装置等の遊技用部品(何れも図示せず)を配置するようになっている。前記外レール１９ａおよび内レール１９ｂは、パチンコ球Ｂが通過可能な距離だけ離間するよう設けられて、該内外のレール１９ａ,１９ｂの間に形成される発射通路１９ｃをパチンコ球Ｂが通過することで、該パチンコ球Ｂが遊技領域１８ａの上部位置に発射されるようになっている。ここで、図３に示すように、前記発射通路１９ｃは、遊技盤１８の下端部における左寄り位置で下方に開口すると共に、遊技盤１８の左上部位置で遊技領域１８ａ内に開口している。なお、以下の説明においては、前記発射通路１９ｃの下方開口を始端開口部と指称する。
【００２１】
また、図１１に示すように、前記上枠部材２８には、パチンコ球Ｂを貯留可能な球タンク３３や、該球タンク３３に貯留したパチンコ球Ｂを整列するタンクレール３４が設けられると共に、前記下枠部材２９の裏側には、前記上球貯留部１４に連通する球流通路３９と、前記下球貯留部１６に連通する溢れ球通路(図示せず)を形成した機能部材３８が配設されており、該タンクレール３４の球出口と、球流通路３９および溢れ球通路の球入口３９ａとを、上下の枠部材２８,２９に架設した球通路ユニット(球払出部)３６を介して接続するようになっている。すなわち、前記設置枠台に設けた球供給設備から前記球タンク３３に供給されたパチンコ球Ｂは、前記タンクレール３４および球通路ユニット３６を介して機能部材３８まで到来して、上下の球貯留部１４,１６に給出されるようになっている。ここで、前記球通路ユニット３６は、図示しない球払出装置を備えており、該球払出装置の作動により前記タンクレール３４から到来するパチンコ球Ｂを払出すようになっている。
【００２２】
前記球流通路３９は、図７に示すように、前記機能部材３８の後端部から前方へ延在して機能部材３８の前端部から下方へ屈曲する略Ｌ字状に形成されて、後端部側に上方に開口する球入口３９ａが設けられると共に、下端部側に前方へ開口する球出口３９ｂが設けられている。なお、前記球流通路３９は、中枠１２(機能部材３８)の左端部近傍に形成してある。
【００２３】
また、図２〜図４に示すように、前記下枠部材２９は、前記遊技盤１８の盤面(表面)と略同一平面上に位置するベース面部４２の上縁に沿って前方へ突出する左右の庇状部４３,４４が形成されている。ここで、前記左右の庇状部４３,４４は、前記遊技盤１８に形成した前記発射通路１９ｃの始端開口部と対応する位置で相互に離間するようになっており、該左右の庇状部４３,４４の間が、前記遊技領域１８ａに発射されることなく発射通路１９ｃを流下したパチンコ球Ｂが通過する球戻り口４５として機能する。また、前記下枠部材２９のベース面部４２には、図５に示すように、前記右庇状部４４の左端部から下方へ向けて第１画壁部４６が延在するよう突設されると共に、前記左庇状部４３の右端部から下方へ向けて第２画壁部４７が延在するよう突設されており、該第１および第２画壁部４６,４７により、前記球戻り口４５を通過したパチンコ球Ｂが回収する球戻り通路部６８が画成される。
【００２４】
前記第１画壁部４６の下端部には、左方向へ向けて下方傾斜する第１転動面部４８が形成されると共に、前記第２画壁部４７の下端部には、右方向へ向けて下方傾斜する第２転動面部４９が形成されて、前記球戻り通路部６８が左右方向に折返すよう形成される。また、前記ベース面部４２には、前記第１転動面部４８の下端部に、前後方向に貫通する球回収口５０(図５参照)が形成されており、前記球戻り通路部６８を通過したパチンコ球Ｂを下枠部材２９の裏側へ案内するようになっている。なお、前記ベース面部４２の下方位置には、前後に開口する球排出口５１が開設されて、前記下球皿部材１５の閉成時に、該下球皿部材１５に開設した球供給口１５ａに(図２参照)に連通するよう構成されると共に、下枠部材２９の裏側で前記球回収口５０と球排出口５１とを連通接続するよう構成されている。ここで、前記球供給口１５ａは、前記下球貯留部１６に連通するよう形成され、前記球回収口５０を通過したパチンコ球Ｂを、前記球排出口５１および球供給口１５ａを介して下球貯留部１６に供給し得るようになっている。
【００２５】
また、図５に示すように、前記第１画壁部４６および第２画壁部４７の前端部には、後述するカバー部材５７を係止固定する第１係止片４６ａ,４７ａが夫々突設されると共に、前記第１転動面部４８の前端部には、上方へ突出する第２係止片４８ａが突設されている。なお、前記右庇状部４４と第１画壁部４６とにより画成される領域に、前記発射通路１９ｃへ向けてパチンコ球Ｂを発射する球発射装置６９を配設してある。
【００２６】
図５に示すように、前記下枠部材２９のベース面部４２には、前記左庇状部４３における前記第２画壁部４７から左方向に離間する位置に、前方へ突出する第３画壁部５３が形成されると共に、該第３画壁部５３の下端部から右方向へ下方傾斜する下画壁部５４が前方へ突出形成されて、該左庇状部４３、第２画壁部４７、第３画壁部５３および下画壁部５４により、前方へ開口する球回収樋６０が画成される。ここで、前記下画壁部５４の下流端側に前記球回収口５０が開口するよう形成されており、該球回収樋６０に到来したパチンコ球Ｂは、該球回収口５０を介して前記下球貯留部１６に排出されるようになっている。なお、前記第３画壁部５３の前端部には、右方向へ突出する第３係止片５３ａを突設してある。
【００２７】
また、前記下枠部材２９には、図２〜図４に示すように、前記球回収樋６０および球戻り通路部６８の前方開口を閉成し得る平板状に形成したカバー部材５７が、前記ベース面部４２からパチンコ球Ｂの直径寸法以上離間する位置に着脱可能に配設されており、該カバー部材５７とベース面部４２との間をパチンコ球Ｂが通過し得るよう構成されている(図１０参照)。前記カバー部材５７は、前記下枠部材２９に配設した際に、前記左庇状部４３、第１〜第３画壁部４６,４７,５３、下画壁部５４、第１転動面部４８および第２転動面部４９の夫々の前端部に当接するよう構成されて、該カバー部材５７により球戻り通路部６８および球回収樋６０の前方開口を閉成することで、これら球戻り通路部６８および球回収樋６０に到来したパチンコ球Ｂの前側への飛び出しを防止している。また、前記カバー部材５７の左上部位置には、図９に示すように、前後に貫通する挿通孔５８が開設されて、前記前枠１３に形成した球受け部２１を挿入し得るようになっている。なお、以下の説明において、前記球回収樋６０において前記挿通孔５８に対応して前記球受け部２１が臨む領域を球供給空間６１と指称し、その他の領域(すなわち球供給空間６１の下方の領域)を球回収空間６２と指称する。すなわち、前記球供給空間６１は、前記挿通孔５８を介して前方へ開口している。
【００２８】
前記カバー部材５７には、図９に示すように、前記第１係止片４６ａ,４７ａに対応する位置に、前後方向に開口する係止孔５７ａ,５７ａが夫々開設されて、該係止孔５７ａ,５７ａに係止爪５７ｂ,５７ｂが夫々形成されている。また、前記カバー部材５７の下端部には、前記第２係止片４８ａが前面に当接して係合可能な第１係合部５９ａが形成される。更に、前記カバー部材５７の左端上部には、前記第３画壁部５３に形成した第３係止片５３ａを挿通可能な切欠部５７ｃが形成されて、該切欠部５７ｃに第３係止片５３ａを臨ませた状態でカバー部材５７を下方へ移動させた際に、当該第３係止片５３ａがカバー部材５７の左端部の前面に当接して係合するようになっている。なお、以下の説明において、前記カバー部材５７における第３係止片５３ａと係合する部位を第２係合部５９ｂと指称する。ここで、前記カバー部材５７の切欠部５７ｃに前記第３係止片５３ａを臨ませた際には、前記各係止孔５７ａ,５７ａに第１係止片４６ａ,４７ａが臨むよう構成されており、この状態でカバー部材５７を下方へスライドすることで、第１係止片４６ａ,４７ａと係止爪５７ｂ,５７ｂ、前記第２係止片４８ａと第１係合部５９ａ、前記第３係止片５３ａと第２係合部５９ｂとが夫々係合して位置決め固定するようになっている。
【００２９】
図４〜図７に示すように、前記下枠部材２９の左上端部近傍には、前後方向に延在する球案内通路６５が形成されており、該球案内通路６５の後方開口に、前記機能部材３８に形成した球流通路３９の球出口３９ｂが接続するようになっている(図７参照)。すなわち、前記球流通路３９を通過したパチンコ球Ｂは、前記球案内通路６５に進入して下枠部材２９(中枠１２)の前側へ案内される。ここで、前記球案内通路６５の球出口６５ａは、前記第３画壁部５３に開設されて、該球案内通路６５が前記球供給空間６１の左側方で開口するようになっている。また、前記球案内通路６５の前端部には、前記球流通路３９から到来するパチンコ球Ｂを球出口６５ａ側に誘導する円弧状の球誘導部６５ｂが設けられており、球案内通路６５を通過したパチンコ球Ｂを球出口６５ａへ速やかに案内し得るようになっている。
【００３０】
更に、前記第３画壁部５３には、図５〜図８に示すように、前記球案内通路６５の球出口６５ａの下端縁に対応する位置から右方向(球供給空間６１)へ突出する突出片６６が形成されて、前記前枠１３の閉成時に、前記球受け部２１の左側面部２３の上端が突出片６６の下方に位置するようになっている。すなわち、実施例１では、前記球案内通路６５と前記球受け部２１の球受け面部２２とは、上下方向に所要の高低差を有するよう配置されており、該球案内通路６５の球出口６５ａを通過したパチンコ球Ｂは、その自重により球受け面部２２上に落下するよう構成されている。
【００３１】
〔実施例１の作用〕
次に、実施例１に係るパチンコ機の作用につき説明する。
【００３２】
遊技場に設けられた設置枠台の球供給設備から球タンク３３に供給されたパチンコ球Ｂは、前記タンクレール３４を介して前記球通路ユニットまで到来し、該球通路ユニットまで貯留される。そして、貸球や賞球の払い出し時に、前記球通路ユニット３６に設けた球払出装置の作動により所定数のパチンコ球Ｂが払い出され、機能部材３８の球流通路３９を流下する。ここで、前記球流通路３９は、前方へ延在したのちに下方へ屈曲するよう形成してあるから、該屈曲部位までパチンコ球Ｂが到来すると、その自重により落下して増勢されて、該球流通路３９内でパチンコ球Ｂが滞留することなく下枠部材２９に形成した球案内通路６５へ移動する。
【００３３】
前記球案内通路６５に到来したパチンコ球Ｂは、その傾斜に従って下枠部材２９(ベース面部４２)の前側まで転動して、球出口６５ａから球回収樋６０(球供給空間６１)内に排出される。ここで、前記球案内通路６５の球出口６５ａは、前記球供給空間６１の左側方を画成する前記第３画壁部５３に開設してあるから、該球案内通路６５を通過したパチンコ球Ｂは球供給空間６１に対して左方から右方へ向けて排出される。このとき、前記前枠１３を閉成した状態では、前記球受け部２１が前記球供給空間６１に臨むと共に、該球受け部２１における左側面部２３の上端が前記球出口６５ａより下方に位置するから、該球受け部２１は、前記球案内通路６５の球出口６５ａから排出されたパチンコ球Ｂを左側方から受入れる。すなわち、前記球案内通路６５の球出口６５ａを側方に開口させるようにした場合であっても、該球出口６５ａの開口方向に球供給空間６１を設けて球受け部２１を臨ませることで、前記球受け部２１がパチンコ球Ｂを受入れて上球貯留部１４に供給することが可能となる。
【００３４】
ここで、前記球受け部２１は、前記球案内通路６５の球出口６５ａから離間する右側面部２４と、前記球供給空間６１を画成する天井面(すなわち左庇状部４３の下面)との間をパチンコ球Ｂが通過しないよう構成してあるから、該球出口６５ａから排出されたパチンコ球Ｂが球受け部２１からこぼれ落ちて前記球回収空間６２に落下することはない。すなわち、前記球案内通路６５の球出口６５ａから排出されたパチンコ球Ｂを確実に球受け部２１に受入れることができるから、上球貯留部１４に対するパチンコ球Ｂの供給効率が低下するのを防止し得る。更に、前記球受け部２１を上方に開口する半筒状に形成することで、該球受け部２１に要するコストの低減を図り得る利点もある。
【００３５】
ところで、前記球流通路３９や球案内通路６５内にパチンコ球Ｂが残留する状態で前枠１３を開放した場合には、該パチンコ球Ｂは球案内通路６５の球出口６５ａから球供給空間６１に対して左側方から排出される。すなわち、図１０に示すように、前記球案内通路６５の球出口６５ａから前記カバー部材５７の挿通孔５８(すなわち球供給空間６１の前方開口)へ向けてパチンコ球Ｂが排出されないから、そのまま球供給空間６１を通過して球回収空間６２に落下する。このように、前記球案内通路６５の球出口６５ａを前記球供給空間６１の左側方で開口するよう開設することで、前記前枠１３の開放時にパチンコ球Ｂがカバー部材５７の挿通孔５８から飛び出すのを防止でき、作業者によるパチンコ球Ｂの回収作業や、パチンコ球Ｂの紛失といった無駄をなくすことができる。そして、実施例１のパチンコ機１０では、従来のようにパチンコ球Ｂの飛び出しを防止する部材をカバー部材５７に別途設ける必要がないから、コスト低減を図り得ると共に、カバー部材５７の組付け作業負担の増大を防止できる。
【００３６】
また、実施例１では、前記球案内通路６５の球出口６５ａの下端縁に、前記球供給空間６１へ突出する突出片６６を形成すると共に、該突出片６６の下方に前記球受け部２１の左側面部２３を位置させるよう構成したから、該球出口６５ａと球受け部２１の球受け面部２２との間に高低差が生ずる。従って、前記球案内通路６５を通過したパチンコ球Ｂは、前記突出片６６から球受け面部２２に直接落下するから、前記球案内通路６５から到来したパチンコ球Ｂが、球出口６５ａと球受け部２１(左側面部２３)との間で留まるのを防止して、球詰まり等の不具合を防ぐことができる。また、球案内通路６５の球出口６５ａと、球受け部２１の球受け面部２２との間に段差を設けることで、該球出口６５ａから排出されたパチンコ球Ｂは落下により付勢されるから、該球受け面部２２で滞留することなく速やかに上球貯留部１４へ移動させることができる。
【００３７】
また、前記カバー部材５７を下枠部材２９に取り付けるに際しては、前記下枠部材２９の第３画壁部５３に形成した第３係止片５３ａを、カバー部材５７の切欠部５７ｃに臨ませると共に、該下枠部材２９の第１および第２画壁部４６,４７に形成した第１係止片４６ａ,４７ａを、カバー部材５７の対応する係止孔５７ａ,５７ａに臨ませる。この状態でカバー部材５７を下方へスライド移動すると、第１係止片４６ａ,４７ａがカバー部材５７の係止爪部５７ｂ,５７ｂに係合し、前記下枠部材２９の第１転動面部４８に形成した第２係止片４８ａがカバー部材５７の第１係合部５９ａに係合すると共に、下枠部材２９の第３画壁部５３に形成した第３係止片５３ａがカバー部材５７の第２係合部５９ｂに係合して位置決め固定する。すなわち、前記第１係止片４６ａ,４７ａがカバー部材５７の係止爪部５７ｂ,５７ｂに係合することでカバー部材５７の上方への移動を規制すると共に、第２または第３係止片４８ａ,５３ａの夫々が前記カバー部材５７の第１または第２係合部５９ａ,５９ｂに係合することで、カバー部材５７の前方移動を防止して、当該カバー部材５７を所定位置に位置決めすることができる。また、前記カバー部材５７を下枠部材２９から取り外すには、前記カバー部材５７の係止爪部５７ｂ,５７ｂと、前記第１係止片４６ａ,４７ａとの係合を解除して、該カバー部材５７を上方にスライドすることで、前記第２係止片４８ａと第１係合部５９ａ、前記第３係止片５３ａと第２係合部５９ｂとの係合が解除され、この状態で、係止孔５７ａ,５７ａから第１係止片４６ａ,４７ａを抜き出せばよい。このように、前記カバー部材５７の着脱に際しては、工具等を用いる必要がないから、短時間で容易に作業を行なうことができる。
【実施例２】
【００３８】
次に、実施例２に係るパチンコ機について説明する。なお、実施例２に係るパチンコ機は、基本的な構成は実施例１に係るパチンコ機１０と同じであって、下枠部材２９に形成される球回収樋の構成および球案内通路の形成位置が異なるものである。従って、以下の説明において、実施例１と同一の機能を有する部材には同一の符号を付して詳細な説明は省略する。
【００３９】
実施例２に係るパチンコ機では、図１２に示すように、前記ベース面部４２の左上端縁に沿って設けられる左庇状部７０は、前記右庇状部４４と同一高さ位置に形成され、右端部に前記第２画壁部４７が連接する下部庇７１と、該下部庇７１からより上方に形成される上部庇７２と、これら上下の庇７１,７２を連結する連結壁７３とから所要の高低差を備えるよう形成されている。そして、前記上部庇７１(下枠部材２９)の左端部近傍(連結壁７３から左方向に離間する位置)に、前記第３画壁部５３が形成されている。なお、前記第３画壁部５３には、実施例１と同様に、第３係止片５３ａを形成してある。
【００４０】
また、実施例２では、前記下枠部材２９のベース面部４２において、前記連結壁７３と、第３画壁部５３との間に球案内通路７７が形成される。ここで、前記球案内通路７７は、前記ベース面部４２に形成されて前後に開口する第１通路部７８と、該第１通路部７８の前側に連通し、前記連結壁７３および第３画壁部５３の間画成されて前方および下方へ開口する第２通路部７９とから構成されて、該第２通路部７９の前方開口を、後述するカバー部材８０で閉成するようになっている。従って、前記第２通路部７９の下方開口が、球案内通路７７の球出口７７ａとして機能する。すなわち、実施例２では、前記下部庇７１、第２画壁部４７、第３画壁部５３および下画壁部５４により、前方へ開口する球回収樋７５が画成されて、該球回収樋７５(球供給空間６１)の上方で前記球案内通路７７の球出口７７ａが開口する。
【００４１】
更に、実施例２では、前記前枠１３を閉成した際に、前枠１３に設けた前記球受け部２１が前記球案内通路７７の球出口７７ａの下方に臨んで、該球受け部２１の球受け面部２２の上方で該球出口７７ａが開口するようになっている。ここで、前記前枠１３の閉成時に、前記球受け部２１の左側面部２３は前記第３画壁部５３に近接して、該左側面部２３と第３画壁部５３との間をパチンコ球Ｂが通過しないよう設定されると共に、該球受け部２１の右側面部２４の上端部が前記下部庇７１(球供給空間６１を画成する天井面)に近接して、該下部庇７１との間をパチンコ球Ｂが通過しないよう設定してある。
【００４２】
実施例２に係るカバー部材８０は、図１３または図１４に示すように、前記下部庇７１、第１〜第３画壁部４６,４７,５３、下画壁部５４、第１転動面部４８および第２転動面部４９の夫々の前端部に当接して前記球回収樋７５の前方開口を閉成する平板状の基部８０ａと、該基部８０ａの左上端部に連接し、前記上部庇７２、連結壁７３および第３画壁部５３に当接して前記球案内通路７７(第２通路部７９)の前方開口を閉成する平板状の被覆部８０ｂとから形成されて、前記下枠部材２９に配設した際に、カバー部材８０が球回収樋７５および球案内通路７７の前方開口を一度に閉成し得るようになっている。ここで、前記ベース面部４２と、前記カバー部材８０とは、パチンコ球Ｂが通過し得る間隔だけ離間するよう設定されている。また、前記カバー部材８０の基部８０ａには、前記下枠部材２９に配設した際に、前記球案内通路７７の下方に位置する部位に前記挿通孔５８が開設されて、前枠１３の閉成時に、該挿通孔５８を介して前記球受け部２１が球回収樋７５(すなわち球供給空間６１)に臨むよう構成されている。従って、前記下枠部材２９にカバー部材８０を配設した状態では、前記球流通路３９をから球案内通路７７に到来したパチンコ球Ｂは、前記第１通路部７８および第２通路部７９を通過して球出口７７ａから下方に落下して、前記球受け部２１に受入れられるようになっている。
【００４３】
なお、前記カバー部材８０には、前述した実施例１と同様に、第１係止片４６ａ,４７ａを挿通可能な係止孔５７ａ,５７ａ、第１係止片４６ａ,４７ａと係合可能な係止爪５７ｂ,５７ｂ、第２係止片４８ａと係合可能な第１係合部５９ａ、第３係止片５３ａを挿通可能な切欠部５７ｃおよび第３係止片５３ａと係脱可能な第２係合部５９ｂの夫々が形成されている。すなわち、実施例２に係るカバー部材８０の下枠部材２９に対する着脱方法は、実施例１と同様であり、その説明は省略する。
【００４４】
〔実施例２の作用〕
次に、実施例２に係るパチンコ機の作用につき説明する。
【００４５】
前記球流通路３９から球案内通路７７に到来したパチンコ球Ｂは、前記第１通路部７８の傾斜に従って下枠部材２９(ベース面部４２)の前側まで転動して、該第１通路部７８の前端部まで到来すると、自重により落下して第２通路部７９を通過し、そのまま球出口７７ａから球回収樋７５(球供給空間６１)内に排出される。すなわち、前記球案内通路７７の球出口７７ａを通過したパチンコ球Ｂは、前記球供給空間６１に対して上方から到来する。このとき、前記前枠１３を閉成した状態では、前記球受け部２１が前記球供給空間６１に臨むから、該球受け部２１は、前記球案内通路７７の球出口７７ａから排出されたパチンコ球Ｂを上方から受入れる。すなわち、前記球案内通路７７の球出口７７ａを球供給空間６１の上方で開口させるようにした場合であっても、該球供給空間６１に球受け部２１を臨ませることで、球受け部２１がパチンコ球Ｂを受入れて上球貯留部１４に供給することが可能となる。
【００４６】
ここで、前記球受け部２１は、左側面部２３と第３画壁部５３との間、および右側面部２４と下部庇７１との間を、パチンコ球Ｂが通過しないよう構成してあるから、該球出口７７ａから排出されたパチンコ球Ｂが球受け部２１からこぼれ落ちて前記球回収空間６２に落下することはない。すなわち、前記球案内通路７７の球出口７７ａから排出されたパチンコ球Ｂを確実に球受け部２１に受入れることができるから、上球貯留部１４に対するパチンコ球Ｂの供給効率が低下するのを防止し得る。更に、前記球受け部２１を上方に開口する半筒状に形成することで、該球受け部２１に要するコストの低減を図り得る利点もある。
【００４７】
ところで、前記球案内通路７７の球出口７７ａは、前記球供給空間６１の上方で開口するよう開設されて、前記カバー部材８０の挿通孔５８が前記球案内通路７７の球出口７７ａと前後に整列しないようになっている。従って、前記球流通路３９や球案内通路７７内にパチンコ球Ｂが残留する状態で前枠１３を開放した場合に、球案内通路７７の球出口７７ａから勢いよくパチンコ球Ｂが排出されたときであっても、該パチンコ球Ｂが前記カバー部材５７の挿通孔５８(球供給空間６１の前方開口)へ向けて排出されないから、そのまま球供給空間６１を通過して球回収空間６２に落下する。
【００４８】
このように、前記球案内通路７７の球出口７７ａを前記球供給空間６１の上方で開口するよう開設することで、前記前枠１３の開放時にパチンコ球Ｂがカバー部材５７の挿通孔５８から飛び出すのを防止でき、作業者によるパチンコ球Ｂの回収作業や、パチンコ球Ｂの紛失といった無駄をなくすことができる。更に、実施例２のパチンコ機では、従来のようにパチンコ球Ｂの飛び出しを防止する部材をカバー部材８０に別途設ける必要がないから、コスト低減を図り得ると共に、カバー部材８０の組付け作業負担の増大を防止できる。
【００４９】
〔変更例〕
なお、遊技機の構成としては、実施例１または２のものに限らず、種々の変更が可能である。例えば、実施例１または２では、前枠の下部位置に上球貯留部を設けて、該前枠を球皿部材として機能するよう構成したが、ガラス板を備えた前枠と、上球貯留部を備えた球皿部材とを別途独立させて本体枠の前側に開閉可能に設けるようにしてもよい。また、実施例では、上球貯留部と下球貯留部とを別々に設けるようにしたが、１つの球皿部材にこれら２つの球貯留部を設けるようにしてもよい。
【００５０】
実施例１では、前記球案内通路の球出口を、前記球供給空間の左側方で開口するよう開設したが、これに限られるものではなく、該球出口が球供給空間の左側方で開口するよう構成して球受け部に対して右側方から遊技球が到来するようにしても、実施例１と同様の作用・効果を得ることができる。
【００５１】
また、実施例２では、前記球案内通路における第２通路部の前方開口をカバー部材の被覆部で閉成するようにしたが、これに限定されるものではなく、該被覆部をカバー部材とは別の部材に形成したり、本体枠に直接形成するようにしても、実施例２と同一の効果を得ることができる。また、第２通路部の上端部(すなわち第１通路部と接続する部位)に、実施例１のように、遊技球を球出口側へ誘導する球誘導部を設けることも可能である。球案内通路の球誘導部を設けた場合には、該球案内通路の球出口から遊技球を直下方へ落下させ得るから、球出口から排出された遊技球が球供給空間の前方開口から飛び出すのをより確実に防止することができる。
【００５２】
また、実施例１または２では、球供給空間の下方に球回収空間が位置するよう構成したが、該球供給空間の側方に隣接して球回収空間が位置するよう構成してもよい。更に、実施例では、球供給空間と、球回収空間とを１つの空間(すなわち球回収樋)に設けて便宜上区別して説明したが、該球供給空間と、球回収空間との間に画壁を設けて独立した空間とすることも可能である。なお、前記球供給空間や球回収空間を形成する構成に関しても、実施例のものに限定されるものではない。すなわち、球供給空間は、本体枠の前側に球案内通路の球出口に連通すると共に、前方へ開口するよう形成すればよく、また、球回収空間は、本体枠の前側に、球皿部材の開放時に球供給空間を通過した遊技球を回収し得るよう形成すればよい。
【００５３】
実施例１または２では、遊技機としてパチンコ機を例示して説明したが、これに限られるものではなく、本体枠の裏側に設けられて遊技球を払出す球払出部と、本体枠の前側に開閉可能に設けられて遊技球を貯留可能な球貯留部を有する球皿部材とを備えた遊技機であれば、パチンコ球を遊技媒体とした所謂パチンコ式スロットマシン機や、その他アレンジボール機等の各種遊技機を採用し得る。
【符号の説明】
【００５４】
１２ 中枠(本体枠)，１３ 前枠(球皿部材)，１４ 上球貯留部(球貯留部)
２１ 球受け部，２３ 左側面部(球受け部における球出口側の側端部)
２２ 球受け面部(底面)，２４ 右側面部(球受け部における球出口から離間する側端部)
３６ 球通路ユニット(球払出部)，３８ 機能部材，３９ 球流通路
４３ 左庇状部(天井面)，５３ 第３画壁部(画壁部)，６１ 球供給空間，６２ 球回収空間６５ 球案内通路，６５ａ 球出口，７７ 球案内通路，７７ａ 球出口
Ｂ パチンコ球(遊技球)
【図１】
2011206602.tif 000003
【図２】
2011206602.tif 000004
【図３】
2011206602.tif 000005
【図４】
2011206602.tif 000006
【図５】
2011206602.tif 000007
【図６】
2011206602.tif 000008
【図７】
2011206602.tif 000009
【図８】
2011206602.tif 000010
【図９】
2011206602.tif 000011
【図１０】
2011206602.tif 000012
【図１１】
2011206602.tif 000013
【図１２】
2011206602.tif 000014
【図１３】
2011206602.tif 000015
【図１４】
2011206602.tif 000016
【図１５】
2011206602.tif 000017